(57)【要約】【課題】簡素な構成で、均平作業と畝立て作業の切り替えが容易にできる歩行型の耕耘機の提供である。【解決手段】土壌耕耘用の耕耘爪３と、耕耘爪３の上方を覆うカバー４と、カバー４の上面に前部が連結し、後部に均平板１６を取り付けた連結体２０とを設け、均平板１６は、その上下略中央部が連結体２０に上下に反転可能に取り付けられ、上下一端が背面視波形状に形成された波形状部１６ａと、上下他端が波形状部１６ａよりも左右幅が狭く、且つ先端にかけて左右幅が狭くなる台形状に形成された台形状部１６ｂとからなる板であり、連結体２０への取り付け部を支点として上下に反転することで波形状部１６ａが下になる耕耘作業時と台形状部１６ｂが下になる畝立て作業時に切り替え可能な構成の歩行型の耕耘機とする。均平板１６を反転させることで、容易に均平作業と畝立て作業の切り替えができ、均平板１６の連結体２０への取り付け構造も簡素な構成で良い。【選択図】図１
2013243998.tif 000002
【特許請求の範囲】
【請求項１】
土壌を耕耘する耕耘爪（３）と、
該耕耘爪（３）の上方を覆う耕耘カバー（４）と、
該耕耘カバー（４）の上面に前部が連結し、後部に耕耘後の土壌をならすための均平板（１６）を取り付けた連結体（２０）とを設け、
前記均平板（１６）は、その上下略中央部が連結体（２０）に上下に反転可能に取り付けられ、上下一端が背面視波形状に形成された波形状部（１６ａ）と、上下他端が前記波形状部（１６ａ）よりも進行方向に向かって左右方向の幅が狭く、且つ先端にかけて左右幅が狭くなる台形状に形成された台形状部（１６ｂ）とからなる板であり、連結体（２０）への取り付け部を支点として上下に反転することで波形状部（１６ａ）を下にした耕耘作業時と台形部（１６ｂ）を下にした畝立て作業時に切り替え可能な構成であることを特徴とする歩行型の耕耘機。
【請求項２】
前記連結体（２０）は耕耘カバー（４）との連結部を支点として上下方向に回動可能な構成であり、
前記連結体（２０）を耕耘カバー（４）の上面に固定する固定状態と連結体（２０）を回動可能とする固定解除状態に切り替え可能な固定状態切替部材（２７）を耕耘カバー（４）の上面に設けたことを特徴とする請求項１記載の歩行型の耕耘機。
【発明の詳細な説明】
【技術分野】
【０００１】
本発明は、歩行型の耕耘機に関するもので、農業機械の技術分野に属する。
【背景技術】
【０００２】
歩行型の耕耘機は、車体フレ−ムから後方下側に延長した伝動ケ−スに車軸を軸架し、この車軸にロ−タリー耕耘装置を装着して耕耘作業を行なう構成の農機として広く普及している。このような歩行型の耕耘機で作業する場合、耕耘後の圃場面に耕耘装置の耕耘爪や抵抗棒によってできた跡をならして整地するために、耕耘装置の後方に均平板を取り付けている。また、耕耘した畑に畝を作る（畝立てと言う）際には畝立て機を取り付けて作業する。
【０００３】
この均平作業と畝立て作業を容易に切り替えられるように、例えば、下記特許文献１には、機体を前進させると同時に均平板によって圃場表面の土壌をならして整地する一方、均平板（左右、中央の３つの板より形成されている）の左右両端の板をそれぞれ機体後方に回動させることで畝立て作業も行えるようにした歩行型の耕耘機が開示されている。
【先行技術文献】
【特許文献】
【０００４】
【特許文献１】特開２０１０−１７２２２０号公報
【発明の概要】
【発明が解決しようとする課題】
【０００５】
特許文献１に記載の構成によれば、ロータリーカバーとその後方の均平板との間にある支点軸に複数の掛止部を設けており、支点軸を軸心方向に摺動させて掛止部から抜くことで均平板の左右両端の板をそれぞれ機体後方に回動させることができ、機体の左右両側に畝立てを形成できる。
【０００６】
上記歩行型の耕耘機によって、均平作業と畝立て作業の切り替えが可能であるが、この切り替えは、支点軸を軸心方向に摺動させて掛止部から抜く必要があるため、その作業に手間が掛かる。  
そして、この均平板は、多くの掛止部材や軸、また各板部材など多数の部品、部材を必要とする複雑な構成であるため、均平板の製造にコストや手間も掛かり、経済的ではない。
【０００７】
本発明の課題は、簡素な構成で、均平作業と畝立て作業の切り替えが容易にできる歩行型の耕耘機を提供することである。
【課題を解決するための手段】
【０００８】
この発明は、上記課題を解決するべく次のような技術的手段を講じた。  
すなわち、請求項１に係る発明は、土壌を耕耘する耕耘爪（３）と、該耕耘爪（３）の上方を覆う耕耘カバー（４）と、該耕耘カバー（４）の上面に前部が連結し、後部に耕耘後の土壌をならすための均平板（１６）を取り付けた連結体（２０）とを設け、前記均平板（１６）は、その上下略中央部が連結体（２０）に上下に反転可能に取り付けられ、上下一端が背面視波形状に形成された波形状部（１６ａ）と、上下他端が前記波形状部（１６ａ）よりも進行方向に向かって左右方向の幅が狭く、且つ先端にかけて左右幅が狭くなる台形状に形成された台形状部（１６ｂ）とからなる板であり、連結体（２０）への取り付け部を支点として上下に反転することで波形状部（１６ａ）を下にした耕耘作業時と台形状部（１６ｂ）を下にした畝立て作業時に切り替え可能な構成である歩行型の耕耘機である。
【０００９】
請求項２に係る発明は、前記連結体（２０）は耕耘カバー（４）との連結部を支点として上下方向に回動可能な構成であり、前記連結体（２０）を耕耘カバー（４）の上面に固定する固定状態と連結体（２０）を回動可能とする固定解除状態に切り替え可能な固定状態切替部材（２７）を耕耘カバー（４）の上面に設けた請求項１記載の歩行型の耕耘機である。
【発明の効果】
【００１０】
請求項１に記載の発明によれば、連結体（２０）の取り付け部を支点として、均平板（１６）を上下に反転させることで、容易に均平作業（耕耘作業）と畝立て作業の切り替えができる。また、均平板（１６）の連結体（２０）への取り付け構造も簡素な構成で良く、コストも掛からない。
【００１１】
請求項２に記載の発明によれば、上記請求項１記載の発明の効果に加えて、耕耘作業時には連結体（２０）が回動可能な固定解除状態にすることで、土壌に凹凸があってもそれに合わせて均平板（１６）が動くことで耕耘作業に追従し易く、円滑な均平、整地作業が行える。また、畝立て作業時には連結体（２０）を固定状態にすることで、土の抵抗による影響を受けにくく、安定したきれいな形状の畝が形成できる。
【図面の簡単な説明】
【００１２】
【図１】本発明の一実施形態の歩行型の耕耘機の全体側面図である（耕耘作業時）。
【図２】本発明の一実施形態の歩行型の耕耘機の全体側面図である（畝立て作業時）。
【発明を実施するための形態】
【００１３】
以下、本発明の実施の形態を図面に基づいて具体的に説明する。図１及び図２には、歩行型の耕耘機の全体側面図を示す。なお、図１は耕耘作業時の図を示し、図２は畝立て作業時の図を示しており、各側面図の側に均平板の背面図を示している。なお、本実施形態の歩行型の耕耘機について、前とは進行方向を指す。
【００１４】
左右一対の走行車輪１の後方には駆動軸２で回転する耕耘爪３と、耕耘爪３の上方を覆う耕耘カバー４とを設け、走行車輪１の上方には車体フレーム１０とその上にエンジン５と伝動ケース６とを設け、車体フレーム１０の後部から斜め後方に向かって主フレーム７を延設し、主フレーム７の後端部から操作ハンドル８を形成している。 
駆動軸２は伝動ケース６内から前進方向の左右両外側に向かってそれぞれ突出して形成しており、エンジン５から伝動ケース６内の伝動機構を介して駆動軸２に動力を伝達し、耕耘爪３が回転する。操作ハンドル８の近傍には伝動ケース６内の伝動機構の伝動を入り切りするクラッチレバー１２と変速レバー９を設けている。
【００１５】
そして、耕耘爪３の後方には、土中に挿入して耕耘作業の推進力に抵抗を与えてダッシング現象（耕耘機が耕耘爪の回転によって押し出される現象）を防止するための抵抗棒１５を設けている。
【００１６】
そして、抵抗棒１５の後方に、耕耘後の圃場面に耕耘爪３や抵抗棒１５によってできた跡をならして整地するための均平板１６を設けている。均平板１６は、耕耘カバー４に取り付けられた連結体２０の後部に上下回動可能に連結している。
【００１７】
連結体２０は、前端部（上端部）が耕耘カバー４の上面に連結し左右に並列に設けた縦アーム２０ａ，２０ａとこれら左右の縦アーム２０ａ，２０ａの下端間を繋ぐ横アーム２０ｂとからなり、横アーム２０ｂに均平板１６の中央部が軸支されている。したがって、均平板１６は横アーム２０ｂを回動軸として連結体２０に回動可能に連結しており、横アーム２０ｂを支点として表裏及び上下が反転可能である。
【００１８】
均平板１６は上下一端が背面視で波形状に形成され、上下他端が前記波形状部１６ａよりも左右幅が狭く、且つ先端にかけて左右幅が狭くなる台形状に形成された一枚の板である。
【００１９】
図１に示すように、耕耘作業時は波形状部１６ａを下にして、耕耘後の圃場面に耕耘爪３や抵抗棒１５によってできた跡をならして整地する。畝立て作業時は、均平板１６を台形状部１６ｂが下になるように横アーム２０ｂを支点として上下を反転させてひっくり返し、その状態で進行することで台形畝Ｕが形成される。この均平板１６の反転操作は、作業者が均平板１６の下部を矢印Ａ方向に持ち上げることで簡単にできるため、容易に均平作業（耕耘作業）と畝立て作業の切り替えができる。
【００２０】
また、耕耘カバー４の上面には左右方向に長手方向を有する連結体支持軸２５が設けられ、この連結体支持軸２５に連結体２０の上端が回動可能に取り付けられており、連結体２０は連結体支持軸２５を支点として矢印Ｂ方向（上下方向）に回動する。また、耕耘カバー４の上面で、且つ連結体支持軸２５の下方には先端部が半球状の突出片２７が固着している。連結体２０の縦アーム２０ａは側面視で耕耘カバー４に沿った形状であり、連結体２０を下方に回動させて耕耘カバー４の上面に密着させると連結体２０に設けた穴（図示せず）内に突出片２７が挿入する。このようにして連結体２０を突出片２７に取り付けると、連結体２０は耕耘カバー４上に固定される構成である。  
したがって、連結体２０が突出片２７に取り付けられた固定状態と連結体２０が突出片２７から外れて回動可能な固定解除状態に切り替えることができる。
【００２１】
耕耘作業時には、連結体２０を突出片２７から外して耕耘カバー４の上面に固定しないことで、土壌に凹凸があってもそれに合わせて均平板１６と連結体２０が動くため耕耘作業に追従し易く、円滑な均平、整地作業が行える。
【００２２】
一方、畝立て作業時には、連結体２０を耕耘カバー４の上面に固定することで、土の抵抗による影響を受けにくく、安定したきれいな形状の畝が形成できる。  
また、均平板１６を鉄製などの硬い素材にすれば、崩れにくくしっかりとした台形畝を作ることができる。
【産業上の利用可能性】
【００２３】
本発明は、耕耘装置を搭載した歩行型の耕耘機に限らず、乗車型の耕耘機にも利用可能である。
【符号の説明】
【００２４】
１  走行車輪            ２  駆動軸
３  耕耘爪              ４  耕耘カバー
５  エンジン            ６  伝動ケース
７  主フレーム          ８  操作ハンドル
９  変速レバー          １２  クラッチレバー
１５  抵抗棒            １６  均平板
２０  連結体            ２５  連結体支持軸
２７  突出片
【図１】
2013243998.tif 000003
【図２】
2013243998.tif 000004